(57)【要約】【課題】  病院等のベッドの近傍で、人が照明のスイッチ操作をしなくともフットライトを点灯させ、また、停電時の非常灯としても点灯させ、冷蔵庫の庫内灯としても用いた冷蔵庫を提供する。【解決手段】  冷蔵庫の前面部分に床面を照らすフットライトを設け、該フットライトは扉を開いた状態では冷蔵庫内を照らす庫内灯となり、冷蔵庫には人感センサーを設け、冷蔵庫に人が近づいた場合は人感センサーによりフットライトを点灯させ、照度センサーを設け、冷蔵庫の周囲が明るい状態では照度センサーによりフットライトを消灯させる冷蔵庫。【選択図】図２
2006342996.tif 000002
【特許請求の範囲】
【請求項１】
冷蔵庫の前面部分に床面を照らすフットライトを設け、該フットライトは扉を開いた状態では冷蔵庫内を照らす庫内灯となることを特徴とする冷蔵庫。
【請求項２】
前記冷蔵庫には人感センサーを設け、該冷蔵庫に人が近づいた場合は、人感センサーにより前記フットライトを点灯させることを特徴とする請求項１に記載の冷蔵庫。
【請求項３】
前記冷蔵庫には照度センサーを設け、該冷蔵庫の周囲が明るい状態では照度センサーにより前記フットライトを消灯させることを特徴とする請求項１乃至請求項２に記載の冷蔵庫。
【請求項４】
前記冷蔵庫には充電可能な電池を設け、通電状態では過充電を避けた状態で充電し、停電時には前記フットライトが作動可能であるように前記電池により放電することを特徴とする請求項１乃至請求項３に記載の冷蔵庫。
【請求項５】
前記冷蔵庫にはタイマー手段を設け、該冷蔵庫の通電時には前記フットライトの点灯時間を前記タイマーにより制御することを特徴とする請求項１乃至請求項４に記載の冷蔵庫。
【請求項６】
前記フットライトは、前記冷蔵庫の扉の上枠に近接する天板の前側上部に設けたことを特徴とする請求項１乃至請求項５に記載の冷蔵庫。
【請求項７】
前記フットライトは、前方に付き出した庇状であって前記天板と一体となった形状であることを特徴とする請求項６に記載の冷蔵庫。
【請求項８】
前記冷蔵庫の扉のフットライトに近接する前面上部は、該フットライトを外方に反射させる凹状の反射部を設けたことを特徴とする請求項６乃至請求項７に記載の冷蔵庫。
【請求項９】
前記冷蔵庫は、ベッドの近傍に配置する床頭台の下部に収納したことを特徴とする請求項１乃至請求項８に記載の冷蔵庫。
【発明の詳細な説明】
【技術分野】
【０００１】
本発明は冷蔵庫に関し、特に、病院のベッド近傍に配置する床頭台等に収納する小型冷蔵庫に関する。
【背景技術】
【０００２】
従来、病院等では通常ベッド近傍には床頭台が配置され、その床頭台の上部の棚或いは天板（上段）にはテレビ、下部の棚（下段）には小型冷蔵庫が収納されている(例えば、特許文献１、特許文献２）。
これらの冷蔵庫は、例えば、特許文献３に示されるように、通常、庫内の奥に庫内灯が設置されているが、扉を開いて庫内の飲料等を出し入れする場合には、扉の開閉を感知するリミットスイッチにより、冷蔵庫内を照らす庫内灯を点灯させている。
この庫内灯として、庫内ではなく冷蔵庫の外側の前側上部に設置して、扉の開閉を感知するリミットスイッチまたはマイクロスイッチにより、冷蔵庫内を照らすものも、特許文献４として知られている。
一方、電池と充電回路を有していて、停電時に周囲の明るさを検出して、点灯する非常灯装置も、特許文献５等として既に知られている。
【特許文献１】特開平８−３２２８７１号公報
【特許文献２】実開昭５９−１１９号公報
【特許文献３】実用新案第２５３２９１４号公報
【特許文献４】実開平４−１０３５８９号公報
【特許文献５】特開昭６２−７６２８４号公報
【発明の開示】
【発明が解決しようとする課題】
【０００３】
ところで、病院の病室等で夜間の消灯時に、患者がベッドから降りる場合や、ベッドの近傍の物を探したり操作しようとする場合や、冷蔵庫を使用しようとする場合は、近傍の照明のスイッチを操作して点灯させなければならなかった。
しかしながら、消灯時に照明のスイッチを探し出しすことは煩わしいことであり、特に、身体の障害のある人にとっては非常に厄介なことであった。
また、停電等の非常時には、室内に設けた非常灯を点灯させる必要があるが、必ずしもベッド近傍の床面を照らすものではなく、ベッドから出て行くには不都合であった。
本発明は、このような問題点に鑑みてなされたもので、病院等のベッドの近傍に通常配置する小型冷蔵庫にフットライトを設け、人が照明のスイッチ操作をしなくともフットライトを点灯させ、また、停電時の非常灯としても点灯させ、また、フットライトを冷蔵庫の庫内を照らす庫内灯として使用できる照明を提供するものである。
【課題を解決するための手段】
【０００４】
上記の課題を解決するために、請求項１の発明は、冷蔵庫の前面部分に床面を照らすフットライトを設け、該フットライトは扉を開いた状態では冷蔵庫内を照らす庫内灯となることを特徴とする冷蔵庫である。
請求項２の発明は、前記冷蔵庫には人感センサーを設け、該冷蔵庫に人が近づいた場合は、人感センサーにより前記フットライトを点灯させることを特徴とする請求項１に記載の冷蔵庫である。
請求項３の発明は、前記冷蔵庫には照度センサーを設け、該冷蔵庫の周囲が明るい状態では照度センサーにより前記フットライトを消灯させることを特徴とする請求項１乃至請求項２に記載の冷蔵庫である。
請求項４の発明は、前記冷蔵庫には充電可能な電池を設け、通電状態では過充電を避けた状態で充電し、停電時には前記フットライトが作動可能であるように前記電池により放電することを特徴とする請求項１乃至請求項３に記載の冷蔵庫である。
請求項５の発明は、前記冷蔵庫にはタイマー手段を設け、該冷蔵庫の通電時には前記フットライトの点灯時間を前記タイマーにより制御することを特徴とする請求項１乃至請求項４に記載の冷蔵庫である。
請求項６の発明は、前記フットライトは、前記冷蔵庫の扉の上枠に近接する天板の前側上部に設けたことを特徴とする請求項１乃至請求項５に記載の冷蔵庫である。
請求項７の発明は、前記フットライトは、前方に付き出した庇状であって前記天板と一体となった形状であることを特徴とする請求項６に記載の冷蔵庫である。
請求項８の発明は、前記冷蔵庫の扉のフットライトに近接する前面下部は、該フットライトを外方に反射させる凹状の反射部を設けたことを特徴とする請求項６乃至請求項７に記載の冷蔵庫である。
請求項９の発明は、前記冷蔵庫は、ベッドの近傍に配置する床頭台の下部に収納したことを特徴とする請求項１乃至請求項８に記載の冷蔵庫である。
【発明の効果】
【０００５】
請求項１の発明によれば、冷蔵庫の前面部分に床面を照らすフットライトと庫内灯とを兼用したもので、フットライトを別途に設置する必要がなく、部品を節約出来、電源コードも絡み合うことがなく、省スペースが可能である。
請求項２の発明によれば、請求項１による効果に加えて、人感センサーを設けたので、冷蔵庫に人の足や手が近づいた場合にはフットライトを自動的に点灯させることができるので、別途に照明のスイッチを設ける必要がなく、スイッチ操作も不必要となる。
請求項３の発明によれば、請求項１乃至請求項２による効果に加えて、照度センサーを設けて冷蔵庫の周囲が明るい状態ではフットライトを自動的に消灯させるので、無駄に電力を消費しない。
請求項４の発明によれば、請求項１乃至請求項３による効果に加えて、冷蔵庫には充電可能な電池を設けて、停電時には前記フットライトが作動可能であるように電池により放電するようにしたもので、地震等の災害で停電した場合のフットライトが非常灯として機能するため、別途非常灯を配備する必要がなく、また、省スペースが可能である。
請求項５の発明によれば、請求項１乃至請求項４による効果に加えて、タイマー手段を設けてフットライトの点灯時間を前記タイマーにより制御したので、フットライトが細かい時間で点灯と消灯を繰り返すことがなく、目障りとなることがなく、フットライト部から多少離れても一定時間点灯しており、人がベッド周りで他の作業をすることができ、かつ、このような場合にもフットライトが所定時間後に自動的に消灯し、消し忘れを防止でき無駄な電力を消費することがない。
請求項６の発明によれば、フットライトを冷蔵庫の扉の上枠に近接する天板の前側上部に設けたので、庫内灯としても、十分に冷蔵庫内を照らすことができる。
請求項７の発明によれば、請求項６による効果に加えて、フットライトは、前方に付き出した庇状であって前記天板と一体となった形状であるので、冷蔵庫として違和感がなく、スッキリとしたデザインとなり、且つ、庫内灯としても、十分に冷蔵庫内を照らすことができ、フットライトとしても十分に冷蔵庫近辺の床面を照らすことができる。
請求項８の発明によれば、請求項６乃至請求項７による効果に加えて、冷蔵庫の扉のフットライトに近接する前面上部は、フットライトを外方に反射させる凹状の反射部を設けたので、フットライトの光をさらに効果的に冷蔵庫近辺の床面を照らすことができる。
請求項９の発明によれば、請求項１乃至請求項８による効果に加えて、前記冷蔵庫を、ベッドの近傍に配置する床頭台の下部に収納したので、ベッドから降りる際の足下を確実に照らすことができる。
【発明を実施するための最良の形態】
【０００６】
ここで、本発明に好適な冷蔵庫の実施例を、図面に沿って説明する。
図１は、病院等のベッドの近傍に配置する床頭台(図示せず)の下部の棚（下段）に収納する冷蔵庫１で、全体の高さが人の腰の位置以下であるような、天板の高さも低い小型冷蔵庫１の斜視図である。
図１から図３に示すように、この冷蔵庫１は床頭台の下段のスペース等に収納される扉が１つのワンドアタイプの小型冷蔵庫で、前面に扉２が設けられ、図２に示すように、扉２の左上部に設けられた把持部２１を手前に引くことにより、右側のヒンジ部２２に設けられた回動軸を中心として開き、庫内３や扉２の裏部に設けられた籠部３１の収納部に収納された飲料水を取り出したり、あるいは、収納したりする。
冷蔵庫１の奥の熱交換部３２及び背面部４には、商用電源(ＡＣ１００Ｖ)で冷蔵庫を低温に駆動する冷蔵駆動部５が設けられている。また、背面部４の下端には固定部材４１が設けられ、必要に応じて、床頭台(図示せず)の下部の収納棚等に木ネジ等で固定し、地震等があっても台から落下しないようにしている。
図３及び図５に示すように、冷蔵庫１の上面部には天板６が設けられ、前側端部６１は前方に付き出した庇状であって、この庇状の幅Ｘは、扉２が閉まっている状態で扉２の厚さ部分Ｙとほぼ同じにしてある。なお、この天板６は、図１等に示されるように小型冷蔵庫であるので、床頭台(下段)に収納されていても、比較的低い位置にあり、後述するように、フットライト７１をこの天板６と同位置にしたので、ベッドから降りる際の足下や床面を確実に照らすことができる。
また、図１に示されるように、冷蔵庫１の扉２の上枠に近接する把持部２１側の天板６の前側上部には、フットライト７１を含むフットライト部７が設けられ、図１、図３、図５に示されるように、このフットライト部７は、天板６の前方に付き出した庇状(突き出た幅Ｘ)の前側端部６１と一体となった形状となっており、違和感のない形状としている。
【０００７】
一方、冷蔵庫１の扉２のフットライト７１に近接する前面部である前面上部２３は、フットライト７１を外方に反射させる凹状の反射部２４が設けられている。
前記フットライト部７は、図４、図５に示すように、庇状の形状をしており、前面及び底面の前半分は透明のアクリル製の透明枠体７２で形成されており、後半分の電子回路等を収納した収納枠体７３、及び、上面カバー枠体７４は通常の合成樹脂で形成され、カバー固定ネジ７４１で収納枠体７３の固定部に固定されている。
この枠体７２、７４の内部の前半分には、３個のＬＥＤからなるフットライト７１が中央に、右側(図４)に人体から出る熱放射に反応する赤外線の人感センサー７５と、左側に照度を検知する照度センサー７６が収納され、枠体７３、７４の内部の後半分にはこれらを駆動する電子回路部８が収納されている。
この電子回路部８の構成は、基本的には図６に示されるような回路構成であるが、後述するフローチャートにおいては、電子回路部８を構成する回路のうち、必要な回路を選択して使用すればよい。
【０００８】
そこで、電子回路部８の回路構成を説明するが、商用電源(ＡＣ１００Ｖ)は、先ず、照明及び各電子回路に供給するＤＣ１２Ｖを作り出す電源回路８１に供給され、この電源回路８１の一部は、充電可能な電池８２を充電する充電回路８２１に供給されるが、この充電回路８２１は過充電を防止する過充電保護回路８２２が設けられ、商用電源(ＡＣ１００Ｖ)が停電して電源回路８１に電源供給が停止するとこれを感知する停電検知回路８２３が働き、電池８２は電池放電回路８２４を介して充電から放電に切り替わる。
こうした電源回路８１や電池８２からの回路電源は、照度センサー７６からの信号によって照度検知回路８３で床面、実際にはフットライト部７での明るさを検知し、所定の照度以上であれば、照度検知回路８３をＯＦＦにして照明電源を遮断し、フットライト部７の周りが暗く、所定の照度以下であれば照度検知回路８３をＯＮにして照明電源を通電する。
【０００９】
次に、人検知回路８４では、フットライト７の近傍、すなわち、人感センサー７５の近傍の人体から出る熱放射に反応する赤外線人感センサー７５の信号によって、所定の感度(人からの熱放射)以上、及び、人(使用者)が移動することを感知すると、人検知回路８４をＯＮにして照明電源を通電し、フットライト部７に人の気配がなく、所定の感度以下であれば人検知回路８４をＯＦＦにして照明電源を遮断する。
なお、本実施例では、赤外線人感センサー７５を用い、熱検知と物体の移動検知の双方を採用しているが、その理由は、赤外線人感センサー７５の熱検知のみであると、一旦、人を検知して点灯するが、その後一定時間を経過し安定すると温度差検知が難しくなる特性があり、その時点で、移動した時にフットライトの機能が働かない可能性があるため、静止した人（使用者）が０.５m／s以上の動きが合った場合には、その移動を検知し点灯して、人がフットライト７１の近傍にいても消灯しないようにしている。
また、照度センサー７６や人感センサー７５が、場合よっては人影で明暗が変化したり、人でも衣服の状態で感度が変化したりして、頻繁に回路がＯＮ−ＯＦＦを繰り返すと、却って目障りであるので、タイマー回路８５を設けて所定の時間は照明電源を切断しないようにして、連続して照らすようにすればよい。
【００１０】
また、冷蔵庫１の扉２を開けた状態でも、人の手や足がフットライト部７の近傍にあり、フットライト部７が暗い場合にはフットライト７１が点灯して庫内を照らすが、フットライト部７が反応しなくてても、部分的に暗い場合が生じる時は、扉２を開けてある場合には、リミットスイッチ等の扉開閉検知回路８６を設けてフットライト７１を点灯させるようにすればよい。
こうして、ＬＤＥを３個並べたフットライト（照明器)７１は、病院等のベッドの近傍で、人が照明のスイッチ操作をしなくとも人感センサーが、人がいる場合にはフットライトを点灯させ、この場合でも周囲が明るい場合には省エネのために消灯した状態となる。
また、通常の停電や、地震等の災害で停電の場合でも、前述した電子回路部８（停電検知回路８２３）により、フットライト７１は点灯するが、このような非常時には、人がフットライト部７の近傍にいなくても、部屋の状態が把握できるようにしてもよく、この場合は、電池放電回路８２４を照度検知回路８３や人検知回路８４を介さず、直接フットライト７１に通電(図６の電池放電回路８２４からフットライト７１への実線)するようにしてもよい。
【００１１】
次に、上述した構成による実施例１から実施例３の作動をフローチャート１〜３により説明するが、共通するのは人感センサー７５と照度センサー７６を設けて、自動的に点灯及び消灯する庫内灯を兼ねたフットライトを作動さることを特徴とするものである。
[実施例１(フローチャート１)]
先ず、フローチャート１の図７と、このための回路構成の図６に沿って、実施例１の作動を説明する。
実施例１は、本発明を最も単純化した回路構成で、冷蔵庫１にフットライト７１、人感センサー７５、照度センサー７６を設け、図６の電子回路部８もこれに対応する回路構成にしたものである。
先ず、ステップ１１で、冷蔵庫１には商用電源のＡＣ１００Ｖが供給され、ステップ１２で電源回路８１によりＤＣ１２Ｖに変換され、ステップ１３で照度センサー７６でフットライト部７の近傍の照度を検知して、周囲が明るければ、ステップ１４に進み、この場合は、フットライト７１を点灯する必要もなく、省エネの観点からの、フットライト７１への電源を遮断して消灯状態を維持する。
逆に、ステップ１３で、照度センサー７６が照度が低く暗いと検知すれば、ステップ１５に進み、フットライト部７の近傍に人がいるか否を検知する人検知回路８４を作動させ、赤外線の人感センサー７５で人が居なければ、ステップ１４に進み、この場合も、フットライト７１を点灯する必要もなく、省エネの観点からの、フットライト７１への電源を遮断して消灯状態を維持する。
逆に、ステップ１５で周囲に人感センサー７５が反応し人が居ると判断すれば、ステップ１６に進み、フットライト７１を点灯させ、冷蔵庫１やベッドの床面を照らし、また、冷蔵庫１の扉２を開いた場合には、フットライト７１が庫内灯として機能し、冷蔵庫１の庫内を照らす。
したがって、実施例１では、フットライト部７の周囲が、常に明るく、また、人が居なければ、このフットライト７１は自動的に点灯しないから、無駄な電力を消費することがない。また、人の手足をフットライト部７に近ずけるだけで、自動的にフットライト７１が点灯するので、人が照明スイッチを操作する必要がない。
【００１２】
[実施例２（フローチャート２）]
先ず、フローチャート２の図８と回路構成である図６に沿って、実施例２の作動を説明する。
実施例２は、実施例１のフットライト７１に非常灯の機能を付加したものもので、冷蔵庫１にフットライト７１、人感センサー７５、照度センサー７６、充電・放電可能な電池８２を設け、図６の電子回路部８もこれに対応する回路構成にしたものである。
ステップ２１で、冷蔵庫１には商用電源のＡＣ１００Ｖが供給されるが、先ず、ステップ２２では停電検知回路８２３で、商用電源のＡＣ１００Ｖが通電状態あるか、停電状態であるかを検知する。
【００１３】
[通電状態]
ステップ２２で、通電状態であればステップ２２１進み、電池８２(図６)が十分充電された状態で、充電する必要がなければ元に戻り、充電すべき状態であれば、ステップ２２２に進み充電回路８２１が機能し電池８２を充電し、充電し終わった場合も元に戻る。すなわち、停電に備えて、電池８２の充電をしておく。
一方、ステップ２３からステップ２７のフットライト７１の点灯・消灯に関しては、ステップ２６１のタイマー作動を除けば、実施例１のＳ１２〜Ｓ１６と同じフローであるので説明を省略するが、ここでは、ステップ２６１のタイマー動作についてのみ説明する。
ステップ２４でフットライト部７の周囲が暗く、且つ、人が周囲に居ると、ステップ２４、ステップ２６でフットライト７１の電源が通電して、フットライト７１が点灯するが、前述したように、照度センサー７６や人感センサー７５が、場合よっては人影で明暗が変化したり、人でも衣服の状態で感度が変化したりして、その都度、頻繁にフットライト７１の点灯・消灯を繰り返すと、却って目障りであるので、照度センサー７６と人感センサー７５とが作動して、フットライト７１が一旦点灯したことをトリガーにして、タイマー回路８５のタイマーを作動させ、タイマーの作動時間を予め定めた所定の時間内は照明電源を切断しないようにしたもので、この間は、照度検知回路８３と人検知回路８４が消灯作動しても、フットライト７１への電源を連続して供給する。
この機能は、図６のように、タイマー回路８５によって、タイマー８５で電源閉回路を構成しても、また、照度検知回路８３と人検知回路８４との機能を非作動にして、常に電源通電状態とするような構成にしてもよく、要は、タイマー回路８５を設けて、一旦点灯した場合には、設定した所定時間はフットライト７１は点灯し続けるようにすればよい。そして、所定時間が経過した後には、照明電源を遮断してフットライト７１を消灯する。
【００１４】
[停電状態]
次に、ステップ２２での停電検知回路８２３で、商用電源のＡＣ１００Ｖが停電状態であることを検知した場合には、図６の電池放電回路８２４からフットライト７１が点線で示すように、電池８２から電池放電回路８２４を介して、フットライト７１を点灯させ、非常灯として機能させる。勿論、この非常灯として機能させる場合でも、電池８２を電池放電回路８２４から照度検知回路８３に供給して、照度検知回路８３と人検知回路８４を作動させ、電池８２の省エネの作動をさせてもよい。
【００１５】
したがって、実施例２では、実施例１での作用、すなわち、周囲が明るく、人が居なければ、このフットライト７１は自動的に点灯しないから、無駄な電力を消費することがなく、また、人の手足をフットライト部７に近ずけるだけで、自動的にフットライト７１が点灯するので、人が照明スイッチを操作する必要がないという作用に加えて、災害等の停電時でもフットライトが非常灯として機能し、夜間であっても、病院等の各ベッドの近傍に配置される冷蔵庫１の周りを照らすので、各自、周囲の状況が把握できる。
【００１６】
[実施例３（フローチャート３）]
先ず、フローチャート３の図９と回路構成である図６に沿って、実施例３の作動を説明する。
実施例３は、実施例２のフットライト７１に非常灯の機能を付加したもので、冷蔵庫１にフットライト７、人感センサー７５、照度センサー７６、マイマー回路８５、充電・放電可能な電池８２を設けた非常灯機能に、別途に扉の開閉状態検知機能を付加して開状態では人感センサー７５、照度センサー７６の作動に拘わらず、フットライト７１を点灯させたもので、図６の電子回路部８もこれに対応する回路構成にしたものである。
実施例３と実施例２と比較して実施例３が異なるのは、ステップ３３１の扉が開状態であることを、例えば、従来のマイクロスイッチ等で感知して、扉が開状態の場合は、常に、ステップ３７でのフットライト７１を点灯させたものである。
勿論、フットライト部７の近傍が明るく、庫内灯で照らす必要がなければ、人感センサー７５、照度センサー７６とその回路を作動させればよく、この場合には、扉開閉検知回路８６や扉開閉検知手段のマイクロスイッチ等は必要はない。
なお、ステップ３３１以外は実施例２と同様のフローで、実施例３でのステップ３１は実施例２のステップ２１、同様にステップ３２はステップ２２、・・・ステップ３５はステップ２５に対応し、作用も同じであるので、実施例２の説明を採用することで、これらの実施例３の各ステップの詳細な説明は省略する。
【００１７】
なお、本発明の特徴を損なうものでなければ、上記の実施例に限定されるものでないことは勿論であり、例えば、人感センサー７５は赤外線を用いたものとしたが、超音波を用いたものでもよい。また、実施例の小型冷蔵庫では天板の高さも低いので、床面を照らすフットライトを冷蔵庫の天板の高さとほぼ同位置に設置したが、背丈がある冷蔵庫であれば扉の中間の高さの側枠の前側面に設けるようにすれば、床面をより効果的に照らすことができる。また、照明部材も３個のＬＤＥを用いたが、ＬＤＥの種類や個数は必要に応じて適宜変更すれば良く、勿論、従来の白熱電球やナツメ電球等でもよい。
【図面の簡単な説明】
【００１８】
【図１】本発明の実施例の冷蔵庫の前方からの斜視図である。
【図２】図１の冷蔵庫において、扉を開いた状態の斜視図である。
【図３】図１のＡ−Ａ線での側断面図である。
【図４】図１のフットライト部の上面カバー枠を外した状態の拡大斜視図である。
【図５】図３のフットライト部近傍の拡大側断面図である。
【図６】本発明の実施例の電子回路部のブロック図である。
【図７】本発明の実施例１のフローチャート１の図である。
【図８】本発明の実施例２のフローチャート２の図である。
【図９】本発明の実施例３のフローチャート３の図である。
【符号の説明】
【００１９】
１…冷蔵庫、
２…扉、２１…把持部、２２…ヒンジ部、２３…前面上部、２４…反射部、
Ｙ…扉の厚さ部分、
３…庫内、３１…籠部、３２…熱交換部、
４…背面部、４１…固定部材
５…冷蔵駆動部、
６…天板、６１…前側端部、Ｘ…庇状部の幅、
７…フットライト部、７１…フットライト（照明器：LDE)、７２…透明枠体、
７３…収納枠体、７４…上面カバー枠体、７４１…カバ固定ネジ、
７５…人感センサー、７６…照度センサー、
８…電子回路部、８１…電源回路、８２…電池、８２１…充電回路、
８２２…過充電保護回路、８２３…停電検知回路、
８２４…電池放電回路、８３…照度検知回路、８４…人検知回路、
８５…タイマー回路、８６…扉開閉検知回路、
【図１】
2006342996.tif 000003
【図２】
2006342996.tif 000004
【図３】
2006342996.tif 000005
【図４】
2006342996.tif 000006
【図５】
2006342996.tif 000007
【図６】
2006342996.tif 000008
【図７】
2006342996.tif 000009
【図８】
2006342996.tif 000010
【図９】
2006342996.tif 000011